(57)【特許請求の範囲】
【請求項１】
沈殿池の中央に設置され且つ上部に旋回支持部を有する中央支柱と、
一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、
一端を前記中央支柱の上部に取り付け、他端を沈殿池の外部に固定することで前記沈殿池の上部に架け渡される架空架台と、
を有し、
前記沈殿物掻寄除去部に電力又は信号を供給する配線を、前記旋回支持部と前記架空架台を通して、沈殿池の外部に引き出すように設置したことを特徴とする沈殿物掻寄機。
【請求項２】
沈殿池の中央に設置され且つ上部に旋回支持部を有する中央支柱と、
一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、
一端を前記中央支柱の上部に取り付け、他端を沈殿池の外部に固定することで前記沈殿池の上部に架け渡される架空架台と、
を有し、
前記ポンプによって吸い上げた沈殿物を沈殿池の外部に排出する沈殿物排出管を、前記旋回支持部から直接前記架空架台を通して沈殿池の外部に引き出すように設置したことを特徴とする沈殿物掻寄機。
【請求項３】
沈殿池の中央に設置され且つ上部に旋回支持部を有する中央支柱と、
一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、
一端を前記中央支柱の上部に取り付け、他端を沈殿池の外部に固定することで前記沈殿池の上部に架け渡される架空架台と、
を有し、
前記沈殿物掻寄除去部に電力又は信号を供給する配線と、前記ポンプによって吸い上げた沈殿物を沈殿池の外部に排出する沈殿物排出管とを、前記旋回支持部から直接前記架空架台を通して沈殿池の外部に引き出すように設置したことを特徴とする沈殿物掻寄機。
【請求項４】
沈殿池上に設置される旋回支持部と、
一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、
前記沈殿池の上部に架け渡される架空架台と、
を有し、
前記沈殿物掻寄除去部に電力又は信号を供給する配線と、前記ポンプによって吸い上げた沈殿物を沈殿池の外部に排出する沈殿物排出管とを、前記旋回支持部と前記架空架台を通して、沈殿池の外部に引き出すように設置し、
前記配線は、前記旋回支持部に設置されたスリップリングを介して、前記架空架台側と前記沈殿物掻寄除去部側とが連結され、
一方、前記沈殿物排出管は、前記スリップリングの中央を貫通すると共に、回転継手によって前記架空架台側と前記沈殿物掻寄除去部側とが連結されていることを特徴とする沈殿物掻寄機。
【請求項５】
沈殿池の中央に設置され且つ上部に旋回支持部を有する中央支柱と、
一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、
前記旋回支持部内を通して前記沈殿池内の被処理水に対して薬液を供給する薬液供給管と、
一端を前記中央支柱の上部に取り付け、他端を沈殿池の外部に固定することで前記沈殿池の上部に架け渡される架空架台と、
を有し、
前記薬液供給管を、前記旋回支持部と前記架空架台を通して、沈殿池の外部に引き出すように設置したことを特徴とする沈殿物掻寄機。
【請求項６】
沈殿池の中央に設置され且つ上部に旋回支持部を有する中央支柱と、
一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、
前記旋回支持部内を通して前記沈殿池内の被処理水に対して薬液を供給する薬液供給管と、
一端を前記中央支柱の上部に取り付け、他端を沈殿池の外部に固定することで前記沈殿池の上部に架け渡される架空架台と、
を有し、
前記ポンプによって吸い上げた沈殿物を沈殿池の外部に直接排出する沈殿物排出管と、前記薬液供給管とを、前記旋回支持部から前記架空架台を通して沈殿池の外部に引き出すように設置したことを特徴とする沈殿物掻寄機。
【請求項７】
沈殿池上に設置される旋回支持部と、
一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、
前記旋回支持部内を通して前記沈殿池内の被処理水に対して薬液を供給する薬液供給管と、
前記沈殿池の上部に架け渡される架空架台と、
を有し、
前記ポンプによって吸い上げた沈殿物を沈殿池の外部に排出する沈殿物排出管と、前記薬液供給管とを、前記旋回支持部と前記架空架台を通して、沈殿池の外部に引き出すように設置し、
前記沈殿物排出管は、前記旋回支持部内において、回転継手によって前記架空架台側と前記沈殿物掻寄除去部側とが連結され、
一方、前記薬液供給管は、前記旋回支持部内において、前記沈殿物排出管の回転に伴って回転し且つ静止側の前記架空架台側から供給される薬液を受ける薬液受け部を有すると共に、この薬液受け部の下流側に回転継手を連結することで、回転する前記薬液受け部側から、静止する被処理水側に薬液を移送することを特徴とする沈殿物掻寄機。
【請求項８】
沈殿池の中央に設置され且つ上部に旋回支持部を有する中央支柱と、
一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、
前記旋回支持部内を通して前記沈殿池内の被処理水に対して薬液を供給する薬液供給管と、
一端を前記中央支柱の上部に取り付け、他端を沈殿池の外部に固定することで前記沈殿池の上部に架け渡される架空架台と、
を有し、
前記沈殿物掻寄除去部に電力又は信号を供給する配線と、前記薬液供給管とを、前記旋回支持部と前記架空架台を通して、沈殿池の外部に引き出すように設置したことを特徴とする沈殿物掻寄機。
【請求項９】
沈殿池上に設置される旋回支持部と、
一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、
前記旋回支持部内を通して前記沈殿池内の被処理水に対して薬液を供給する薬液供給管と、
前記沈殿池の上部に架け渡される架空架台と、
を有し、
前記沈殿物掻寄除去部に電力又は信号を供給する配線と、前記薬液供給管とを、前記旋回支持部と前記架空架台を通して、沈殿池の外部に引き出すように設置し、
前記配線は、前記旋回支持部に設置されたスリップリングを介して、前記架空架台側と、前記沈殿物掻寄除去部側とが連結され、
一方、前記薬液供給管は、前記スリップリングの中央を貫通することで、前記架空架台側から前記旋回支持部を通して被処理水に薬液を供給することを特徴とする沈殿物掻寄機。
【請求項１０】
沈殿池上に設置される旋回支持部と、
一端が前記旋回支持部に取り付けられこの旋回支持部を中心に沈殿池上を旋回することで沈殿池に沈殿した沈殿物を掻き寄せ、掻き寄せた沈殿物をポンプによって沈殿池の外部に排出する沈殿物掻寄除去部と、
前記旋回支持部を通して前記沈殿物掻寄除去部に電力又は信号を供給する配線と、
を有する沈殿物掻寄機の改修方法において、
前記沈殿池の上部に架空架台を架け渡す工程と、
前記沈殿物掻寄除去部に電力又は信号を供給する新たな配線を、前記旋回支持部から前記架空架台を通して沈殿池の外部に引き出すように設置する工程と、
を有することを特徴とする沈殿物掻寄機の改修方法。
【請求項１１】
沈殿池上に設置される旋回支持部と、
一端が前記旋回支持部に取り付けられこの旋回支持部を中心に沈殿池上を旋回することで沈殿池に沈殿した沈殿物を掻き寄せ、掻き寄せた沈殿物をポンプによって沈殿池の周囲を囲むように設置した排泥樋に排出する沈殿物掻寄除去部と、
を有する沈殿物掻寄機の改修方法において、
前記沈殿池の上部に架空架台を架け渡す工程と、
前記ポンプによって吸い上げた沈殿物を沈殿池の外部に排出する新たな沈殿物排出管を、前記旋回支持部から前記架空架台を通して沈殿池の外部に引き出すように設置する工程と、
を有することを特徴とする沈殿物掻寄機の改修方法。
【請求項１２】
沈殿池上に設置される旋回支持部と、
一端が前記旋回支持部に取り付けられこの旋回支持部を中心に沈殿池上を旋回することで沈殿池に沈殿した沈殿物を掻き寄せ、掻き寄せた沈殿物をポンプによって沈殿池の周囲を囲むように設置した排泥樋に排出する沈殿物掻寄除去部と、
前記沈殿池に敷設され、前記旋回支持部を通して前記沈殿物掻寄除去部に電力又は信号を供給する配線と、
を有する沈殿物掻寄機の改修方法において、
前記沈殿池の上部に架空架台を架け渡す工程と、
前記沈殿物掻寄除去部側に電力又は信号を供給する新たな配線と、前記ポンプによって吸い上げた沈殿物を沈殿池の外部に排出する新たな沈殿物排出管とを、前記旋回支持部から前記架空架台を通して沈殿池の外部に引き出すように設置する工程と、
を有することを特徴とする沈殿物掻寄機の改修方法。
【請求項１３】
沈殿池上に設置される旋回支持部と、
一端が前記旋回支持部に取り付けられこの旋回支持部を中心に沈殿池上を旋回することで沈殿池に沈殿した沈殿物を掻き寄せ、掻き寄せた沈殿物をポンプによって沈殿池の外部に排出する沈殿物掻寄除去部と、
前記沈殿池内の被処理水に対して薬液を供給する薬液供給管と、
を有する沈殿物掻寄機の改修方法において、
前記沈殿池の上部に架空架台を架け渡す工程と、
前記薬液を供給する新たな薬液供給管を、前記旋回支持部から前記架空架台を通して沈殿池の外部に引き出すように設置する工程と、
を有することを特徴とする沈殿物掻寄機の改修方法。
【請求項１４】
沈殿池上に設置される旋回支持部と、
一端が前記旋回支持部に取り付けられこの旋回支持部を中心に沈殿池上を旋回することで沈殿池に沈殿した沈殿物を掻き寄せ、掻き寄せた沈殿物をポンプによって沈殿池の周囲を囲むように設置した排泥樋に排出する沈殿物掻寄除去部と、
前記沈殿池内の被処理水に対して薬液を供給する薬液供給管と、
を有する沈殿物掻寄機の改修方法において、
前記沈殿池の上部に架空架台を架け渡す工程と、
前記薬液を供給する新たな薬液供給管と、前記ポンプによって吸い上げた沈殿物を沈殿池の外部に排出する新たな沈殿物排出管とを、前記旋回支持部から前記架空架台を通して沈殿池の外部に引き出すように設置する工程と、
を有することを特徴とする沈殿物掻寄機の改修方法。
【請求項１５】
沈殿池上に設置される旋回支持部と、
一端が前記旋回支持部に取り付けられこの旋回支持部を中心に沈殿池上を旋回することで沈殿池に沈殿した沈殿物を掻き寄せ、掻き寄せた沈殿物をポンプによって沈殿池の外部に排出する沈殿物掻寄除去部と、
前記沈殿池に敷設され、前記旋回支持部を通して前記沈殿物掻寄除去部に電力又は信号を供給する配線と、
前記沈殿池内の被処理水に対して薬液を供給する薬液供給管と、
を有する沈殿物掻寄機の改修方法において、
前記沈殿池の上部に架空架台を架け渡す工程と、
前記沈殿物掻寄除去部側に電力又は信号を供給する新たな配線と、前記薬液を供給する新たな薬液供給管とを、前記旋回支持部から前記架空架台を通して沈殿池の外部に引き出すように設置する工程と、
を有することを特徴とする沈殿物掻寄機の改修方法。
【発明の詳細な説明】
【技術分野】
【０００１】
本発明は、液体から固体を分離するために使用される沈殿物掻寄機及びその改修方法に関するものである。
【背景技術】
【０００２】
液体と固体の分離は、下水、し尿、工場廃水、上水処理においてだけでなく、工場の生産工程等においても重要な操作の一つである。液体と固体の分離には沈殿池が用いられる。そして沈殿池の底に沈殿した沈殿物を除去するために沈殿物掻寄機が設置される。即ち、民間工場の排水処理施設や、官公庁汚水下水道施設等で使用される沈殿池では、固液分離した沈殿物（沈殿汚泥）を掻き集めて系外に搬出する等のために沈殿物掻寄機が利用されている。
【０００３】
従来、この種の沈殿物掻寄機は、沈殿池の中央部を旋回中心とする旋回アームを具備し、この旋回アームに沈殿池の底に沈殿した沈殿物を掻き寄せるブレード（掻寄部）を取り付け、このブレードで掻き寄せた沈殿物を、この旋回アームに取り付けた吸い上げ用のポンプで吸い上げて配管輸送し、輸送した沈殿物を、沈殿池の外周を囲むように敷設した排泥樋に排出するように構成されている。排泥樋に排出された沈殿物は、排泥樋に接続された排泥ピットに集められ、系外に排出される。
【先行技術文献】
【特許文献】
【０００４】
【特許文献１】特開平４−８７６９１号公報
【発明の概要】
【発明が解決しようとする課題】
【０００５】
しかしながら、上記従来の沈殿物掻寄機においては、以下のような問題があった。
（１）沈殿物掻寄機に供給する電力・制御用の配線や、被処理水に薬品を投入する薬品供給管等は、沈殿池に埋設されている場合が多い。このため、これら配線や配管が老朽化した場合は、その補修や取り替えが困難であった。即ち例えば、沈殿物掻寄機駆動用の電源は、水槽やその下部に埋設された配線よりスリップリングを介して供給されるが、長年の使用による経年劣化等（絶縁低下等）により、緊急停止等のトラブルが発生する恐れがあった。これに対する対策として、取り替え等の施工をしようとしても、古い配線が引き抜けない等のため、前記取り替え等が困難となっていた。同様に、埋設された老朽化した薬品供給管の更新も困難であった。
【０００６】
（２）上述のように、沈殿物掻寄機のポンプによって吸い上げた沈殿物を沈殿池外周を囲む排泥樋に排出する構成になっている場合、この排泥樋に排出した沈殿物から臭気（排泥臭気）が発生して沈殿池の周囲（近隣住宅等）に拡散してしまう恐れがあった。
【０００７】
本発明は上述の点に鑑みてなされたものでありその目的は、配線や配管が老朽化した際の改修が容易に行え、また臭気が周囲に拡散することを防止できる沈殿物掻寄機及びその改修方法を提供することにある。
【課題を解決するための手段】
【０００８】
本発明にかかる沈殿物掻寄機は、下水（家庭排水等を含む）、し尿、工場廃水又は上水等に含まれる沈殿固形物の除去や濃縮、工場廃水又は下水等に含まれる油や浮遊固形物の除去、生物化学的処理の最初又は最終工程における沈殿固形物の除去や濃縮、各種工業における原料や製品の沈降分離並びに濃縮などを行う際に用いることができる。
【０００９】
本発明にかかる沈殿物掻寄機は、沈殿池の中央に設置され且つ上部に旋回支持部を有する中央支柱と、一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、一端を前記中央支柱の上部に取り付け、他端を沈殿池の外部に固定することで前記沈殿池の上部に架け渡される架空架台と、を有し、前記沈殿物掻寄除去部に電力又は信号を供給する配線を、前記旋回支持部と前記架空架台を通して、沈殿池の外部に引き出すように設置したことを特徴としている。
本発明によれば、沈殿池の上部に設置した架空架台に、配線を架け渡す構成なので、老朽化した配線の改修を容易に行うことができる。特に、改修前の配線が埋設されている構造であったような場合は、埋設された配線は不要となってこれを補修する必要がなくなり、今後のメンテナンス性の向上や、安定した運転に寄与でき、特に本発明にかかる沈殿物掻寄機の構造に改修することによる効果は大きい。
【００１０】
また本発明にかかる沈殿物掻寄機は、沈殿池の中央に設置され且つ上部に旋回支持部を有する中央支柱と、一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、一端を前記中央支柱の上部に取り付け、他端を沈殿池の外部に固定することで前記沈殿池の上部に架け渡される架空架台と、を有し、前記ポンプによって吸い上げた沈殿物を沈殿池の外部に排出する沈殿物排出管を、前記旋回支持部から直接前記架空架台を通して沈殿池の外部に引き出すように設置したことを特徴としている。
本発明によれば、沈殿物排出管を、架空架台を通して直接沈殿池の系外に引き出せるので、沈殿池の外周を囲むように排泥樋を設置する（又は既にある排泥樋を使用する）必要がなくなる。このため、排泥樋から発生する臭気の周囲への拡散を確実に防止することができる。
【００１１】
また本発明にかかる沈殿物掻寄機は、沈殿池の中央に設置され且つ上部に旋回支持部を有する中央支柱と、一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、一端を前記中央支柱の上部に取り付け、他端を沈殿池の外部に固定することで前記沈殿池の上部に架け渡される架空架台と、を有し、前記沈殿物掻寄除去部に電力又は信号を供給する配線と、前記ポンプによって吸い上げた沈殿物を沈殿池の外部に排出する沈殿物排出管とを、前記旋回支持部から直接前記架空架台を通して沈殿池の外部に引き出すように設置したことを特徴としている。
本発明によれば、沈殿池の上部に設置した架空架台に、配線を架け渡す構成なので、老朽化した配線の改修を容易に行うことができる。特に、改修前の配線が埋設されている構造であったような場合は、埋設された配線は不要となってこれを補修する必要がなくなり、今後のメンテナンス性の向上や、安定した運転に寄与でき、特に本発明にかかる沈殿物掻寄機の構造に改修することによる効果は大きい。
また沈殿物排出管を、架空架台を通して直接沈殿池の系外に引き出せるので、沈殿池の外周を囲むように排泥樋を設置する（又は既にある排泥樋を使用する）必要がなくなる。このため、排泥樋から発生する臭気の周囲への拡散を確実に防止することができる。
【００１２】
また本発明は、沈殿池上に設置される旋回支持部と、一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、前記沈殿池の上部に架け渡される架空架台と、を有し、前記沈殿物掻寄除去部に電力又は信号を供給する配線と、前記ポンプによって吸い上げた沈殿物を沈殿池の外部に排出する沈殿物排出管とを、前記旋回支持部と前記架空架台を通して、沈殿池の外部に引き出すように設置し、前記配線は、前記旋回支持部に設置されたスリップリングを介して、前記架空架台側と前記沈殿物掻寄除去部側とが連結され、一方、前記沈殿物排出管は、前記スリップリングの中央を貫通すると共に、回転継手によって前記架空架台側と前記沈殿物掻寄除去部側とが連結されていることを特徴としている。
スリップリングを用いることで、静止側の架空架台から、回転側の沈殿物掻寄除去部に容易に電力や信号を供給することができる。
また沈殿物排出管を回転継手によって連結すると共に、スリップリングに貫通させたので、回転側の沈殿物掻寄除去部から、静止側の架空架台に容易に沈殿物を移送することができると同時に、装置の一体化を図ることができる。
【００１３】
また本発明にかかる沈殿物掻寄機は、沈殿池の中央に設置され且つ上部に旋回支持部を有する中央支柱と、一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、前記旋回支持部内を通して前記沈殿池内の被処理水に対して薬液を供給する薬液供給管と、一端を前記中央支柱の上部に取り付け、他端を沈殿池の外部に固定することで前記沈殿池の上部に架け渡される架空架台と、を有し、前記薬液供給管を、前記旋回支持部と前記架空架台を通して、沈殿池の外部に引き出すように設置したことを特徴としている。
本発明によれば、沈殿池の上部に設置した架空架台に薬液供給管を架け渡す構成なので、老朽化した薬液供給管の改修を容易に行うことができる。特に、改修前の薬液供給管が埋設されている構造であったような場合は、埋設された薬液供給管は不要となってこれを補修する必要がなくなり、特に本発明にかかる沈殿物掻寄機の構造に改修することによる効果は大きい。
【００１４】
また本発明にかかる沈殿物掻寄機は、沈殿池の中央に設置され且つ上部に旋回支持部を有する中央支柱と、一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、前記旋回支持部内を通して前記沈殿池内の被処理水に対して薬液を供給する薬液供給管と、一端を前記中央支柱の上部に取り付け、他端を沈殿池の外部に固定することで前記沈殿池の上部に架け渡される架空架台と、を有し、前記ポンプによって吸い上げた沈殿物を沈殿池の外部に直接排出する沈殿物排出管と、前記薬液供給管とを、前記旋回支持部から前記架空架台を通して沈殿池の外部に引き出すように設置したことを特徴としている。
本発明によれば、沈殿池の上部に設置した架空架台に薬液供給管と沈殿物排出管とを架け渡す構成なので、老朽化した配管の改修を容易に行うことができる。特に、改修前の配管が埋設されている構造であったような場合は、埋設された配管は不要となってこれを補修する必要がなくなり、特に本発明にかかる沈殿物掻寄機の構造に改修することによる効果は大きい。
また沈殿物排出管を、架空架台を通して直接沈殿池の系外に引き出せるので、沈殿池の外周を囲むように排泥樋を設置する（又は既にある排泥樋を使用する）必要がなくなる。このため、排泥樋から発生する臭気の周囲への拡散を確実に防止することができる。
【００１５】
また本発明は、沈殿池上に設置される旋回支持部と、一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、前記旋回支持部内を通して前記沈殿池内の被処理水に対して薬液を供給する薬液供給管と、前記沈殿池の上部に架け渡される架空架台と、を有し、前記ポンプによって吸い上げた沈殿物を沈殿池の外部に排出する沈殿物排出管と、前記薬液供給管とを、前記旋回支持部と前記架空架台を通して、沈殿池の外部に引き出すように設置し、前記沈殿物排出管は、前記旋回支持部内において、回転継手によって前記架空架台側と前記沈殿物掻寄除去部側とが連結され、一方、前記薬液供給管は、前記旋回支持部内において、前記沈殿物排出管の回転に伴って回転し且つ静止側の前記架空架台側から供給される薬液を受ける薬液受け部を有すると共に、この薬液受け部の下流側に回転継手を連結することで、回転する前記薬液受け部側から、静止する被処理水側に薬液を移送することを特徴としている。
これによって、回転側の沈殿物掻寄除去部から静止側の架空架台に容易に沈殿物を移送することができると同時に、静止側の架空架台から回転する旋回支持部を通して静止する被処理水側に容易に薬液を移送することができる。さらに沈殿物排出管の回転に伴って回転し且つ架空架台側から供給される薬液を受ける薬液受け部を設けたので、沈殿物排出管と薬液供給管それぞれの静止側と回転側の連結部分を一体化できる。
【００１６】
また本発明にかかる沈殿物掻寄機は、沈殿池の中央に設置され且つ上部に旋回支持部を有する中央支柱と、一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、前記旋回支持部内を通して前記沈殿池内の被処理水に対して薬液を供給する薬液供給管と、一端を前記中央支柱の上部に取り付け、他端を沈殿池の外部に固定することで前記沈殿池の上部に架け渡される架空架台と、を有し、前記沈殿物掻寄除去部に電力又は信号を供給する配線と、前記薬液供給管とを、前記旋回支持部と前記架空架台を通して、沈殿池の外部に引き出すように設置したことを特徴としている。
本発明によれば、沈殿池の上部に設置した架空架台に、配線と薬液供給管とを架け渡す構成なので、老朽化した配線や薬液供給管の改修を容易に行うことができる。特に、改修前の配線や薬液供給管が埋設されている構造であったような場合は、これら埋設された配線や薬液供給管は不要となってこれを補修する必要がなくなり、特に本発明にかかる沈殿物掻寄機の構造に改修することによる効果は大きい。
【００１７】
また本発明は、沈殿池上に設置される旋回支持部と、一端が前記旋回支持部に取り付けられこの旋回支持部を中心に沈殿池上を旋回することで沈殿池に沈殿した沈殿物を掻き寄せ、掻き寄せた沈殿物をポンプによって吸い上げて沈殿池の外部に排出する沈殿物掻寄除去部と、前記旋回支持部内を通して前記沈殿池内の被処理水に対して薬液を供給する薬液供給管と、前記沈殿池の上部に架け渡される架空架台と、を有し、前記沈殿物掻寄除去部に電力又は信号を供給する配線と、前記薬液供給管とを、前記旋回支持部と前記架空架台を通して、沈殿池の外部に引き出すように設置し、前記配線は、前記旋回支持部に設置されたスリップリングを介して、前記架空架台側と、前記沈殿物掻寄除去部側とが連結され、一方、前記薬液供給管は、前記スリップリングの中央を貫通することで、前記架空架台側から前記旋回支持部を通して被処理水に薬液を供給することを特徴としている。
スリップリングを用いることで、静止側の架空架台から、回転側の沈殿物掻寄除去部に容易に電源を供給することができる。
また薬液供給管をスリップリングに貫通させたので、装置を一体化できる。
【００１８】
また本発明は、沈殿池上に設置される旋回支持部と、一端が前記旋回支持部に取り付けられこの旋回支持部を中心に沈殿池上を旋回することで沈殿池に沈殿した沈殿物を掻き寄せ、掻き寄せた沈殿物をポンプによって沈殿池の外部に排出する沈殿物掻寄除去部と、前記旋回支持部を通して前記沈殿物掻寄除去部に電力又は信号を供給する配線と、を有する沈殿物掻寄機の改修方法において、前記沈殿池の上部に架空架台を架け渡す工程と、前記沈殿物掻寄除去部に電力又は信号を供給する新たな配線を、前記旋回支持部から前記架空架台を通して沈殿池の外部に引き出すように設置する工程と、を有することを特徴としている。
本発明によれば、老朽化した配線を補修等することなく、別途、新たな配線を架空架台を用いて架設する構成としたので、その改修を容易に行うことができる。特に、改修前の配線が埋設されている構造であったような場合は、本発明にかかる改修方法を用いることによる効果は大きい。
【００１９】
また本発明は、沈殿池上に設置される旋回支持部と、一端が前記旋回支持部に取り付けられこの旋回支持部を中心に沈殿池上を旋回することで沈殿池に沈殿した沈殿物を掻き寄せ、掻き寄せた沈殿物をポンプによって沈殿池の周囲を囲むように設置した排泥樋に排出する沈殿物掻寄除去部と、を有する沈殿物掻寄機の改修方法において、前記沈殿池の上部に架空架台を架け渡す工程と、前記ポンプによって吸い上げた沈殿物を沈殿池の外部に排出する新たな沈殿物排出管を、前記旋回支持部から前記架空架台を通して沈殿池の外部に引き出すように設置する工程と、を有することを特徴としている。
本発明によって改修を行えば、新たな沈殿物排出管は、架空架台を通して直接沈殿池の系外に排出できるので、沈殿池の外周を囲むように設置されている既存の排泥樋を使用する必要がなくなる。このため、排泥樋から発生する臭気の周囲への拡散を確実に防止することができる。
【００２０】
また本発明は、沈殿池上に設置される旋回支持部と、一端が前記旋回支持部に取り付けられこの旋回支持部を中心に沈殿池上を旋回することで沈殿池に沈殿した沈殿物を掻き寄せ、掻き寄せた沈殿物をポンプによって沈殿池の周囲を囲むように設置した排泥樋に排出する沈殿物掻寄除去部と、前記沈殿池に敷設され、前記旋回支持部を通して前記沈殿物掻寄除去部に電力又は信号を供給する配線と、を有する沈殿物掻寄機の改修方法において、前記沈殿池の上部に架空架台を架け渡す工程と、前記沈殿物掻寄除去部側に電力又は信号を供給する新たな配線と、前記ポンプによって吸い上げた沈殿物を沈殿池の外部に排出する新たな沈殿物排出管とを、前記旋回支持部から前記架空架台を通して沈殿池の外部に引き出すように設置する工程と、を有することを特徴としている。
本発明によれば、老朽化した配線を補修等することなく、別途、新たな配線を架空架台を用いて架設する構成としたので、その改修を容易に行うことができる。特に、改修前の配線が埋設されている構造であったような場合は、本発明にかかる改修方法を用いることによる効果は大きい。
また本発明によって改修を行えば、新たな沈殿物排出管は、架空架台を通して直接沈殿池の系外に排出できるので、沈殿池の外周を囲むように設置されている既存の排泥樋を使用する必要がなくなる。このため、排泥樋から発生する臭気の周囲への拡散を確実に防止することができる。
【００２１】
また本発明は、沈殿池上に設置される旋回支持部と、一端が前記旋回支持部に取り付けられこの旋回支持部を中心に沈殿池上を旋回することで沈殿池に沈殿した沈殿物を掻き寄せ、掻き寄せた沈殿物をポンプによって沈殿池の外部に排出する沈殿物掻寄除去部と、前記沈殿池内の被処理水に対して薬液を供給する薬液供給管と、を有する沈殿物掻寄機の改修方法において、前記沈殿池の上部に架空架台を架け渡す工程と、前記薬液を供給する新たな薬液供給管を、前記旋回支持部から前記架空架台を通して沈殿池の外部に引き出すように設置する工程と、を有することを特徴としている。
本発明によれば、老朽化した薬液供給管を補修等することなく、別途、新たな薬液供給管を架空架台を用いて架設する構成としたので、その改修を容易に行うことができる。特に、改修前の薬液供給管が埋設されている構造であったような場合は、本発明にかかる改修方法を用いることによる効果は大きい。
【００２２】
また本発明は、沈殿池上に設置される旋回支持部と、一端が前記旋回支持部に取り付けられこの旋回支持部を中心に沈殿池上を旋回することで沈殿池に沈殿した沈殿物を掻き寄せ、掻き寄せた沈殿物をポンプによって沈殿池の周囲を囲むように設置した排泥樋に排出する沈殿物掻寄除去部と、前記沈殿池内の被処理水に対して薬液を供給する薬液供給管と、を有する沈殿物掻寄機の改修方法において、前記沈殿池の上部に架空架台を架け渡す工程と、前記薬液を供給する新たな薬液供給管と、前記ポンプによって吸い上げた沈殿物を沈殿池の外部に排出する新たな沈殿物排出管とを、前記旋回支持部から前記架空架台を通して沈殿池の外部に引き出すように設置する工程と、を有することを特徴としている。
本発明によれば、老朽化した配管を補修等することなく、別途、新たな薬液供給管と新たな沈殿物排出管とを架空架台を用いて架設する構成としたので、その改修を容易に行うことができる。特に、改修前の配管が埋設されている構造であったような場合は、本発明にかかる改修方法を用いることによる効果は大きい。
また本発明によって改修を行えば、新たな沈殿物排出管は、架空架台を通して直接沈殿池の系外に排出できるので、沈殿池の外周を囲むように設置されている既存の排泥樋を使用する必要がなくなる。このため、排泥樋から発生する臭気の周囲への拡散を確実に防止することができる。
【００２３】
また本発明は、沈殿池上に設置される旋回支持部と、一端が前記旋回支持部に取り付けられこの旋回支持部を中心に沈殿池上を旋回することで沈殿池に沈殿した沈殿物を掻き寄せ、掻き寄せた沈殿物をポンプによって沈殿池の外部に排出する沈殿物掻寄除去部と、前記沈殿池に敷設され、前記旋回支持部を通して前記沈殿物掻寄除去部に電力又は信号を供給する配線と、前記沈殿池内の被処理水に対して薬液を供給する薬液供給管と、を有する沈殿物掻寄機の改修方法において、前記沈殿池の上部に架空架台を架け渡す工程と、前記沈殿物掻寄除去部側に電力又は信号を供給する新たな配線と、前記薬液を供給する新たな薬液供給管とを、前記旋回支持部から前記架空架台を通して沈殿池の外部に引き出すように設置する工程と、を有することを特徴としている。
本発明によれば、老朽化した配線や薬液供給管を補修等することなく、別途、新たな配線と新たな薬液供給管とを架空架台を用いて架設する構成としたので、その改修を容易に行うことができる。特に、改修前の配線や薬液供給管が埋設されている構造であったような場合は、本発明にかかる改修方法を用いることによる効果は大きい。
【発明の効果】
【００２４】
本発明によれば、配線や配管が老朽化した際の改修が容易に行え、また臭気の周囲への拡散を防止することができる。
【図面の簡単な説明】
【００２５】
【図１】沈殿物掻寄機５００の概略断面図である。
【図２】沈殿物掻寄機１−１の概略断面図である。
【図３】沈殿物掻寄機１−２の概略断面図である。
【図４】沈殿物掻寄機１−３の概略断面図である。
【発明を実施するための形態】
【００２６】
以下、本発明の実施形態を図面を参照して詳細に説明する。
図１〜図４は、本発明の改修方法を用いて、改修前の沈殿物掻寄機５００を沈殿物掻寄機１−１〜１−３に改修する方法を示す図であり、図１は改修前の沈殿物掻寄機５００の概略断面図、図２〜図４はそれぞれ改修後の沈殿物掻寄機１−１〜１−３の概略断面図である。各図は、沈殿物掻寄機を設置した沈殿池１０の中央付近から一方の外周に至る範囲を一部断面にして示している。
【００２７】
ここでまず、改修しようとする沈殿物掻寄機５００の構成について説明する。沈殿物掻寄機５００は、円形に形成された沈殿池１０と、沈殿池１０の中央に設置された中央支柱３０と、一端が前記中央支柱３０の旋回支持部６０に取り付けられ旋回支持部６０を中心に沈殿池１０上を旋回（回転）する沈殿物掻寄除去部１００とを具備して構成されている。
【００２８】
沈殿池１０は、円形の底部１１と、その周囲を囲む円筒状の側壁１３とを有し、さらに側壁１３の外周側に、この側壁１３をリング状に囲む凹状の溝からなる排泥樋１５を設けて構成されている。排泥樋１５のさらに外側の所定位置には、前記排泥樋１５で回収した沈殿物（以下「汚泥」という）を１箇所に集めて外部（系外）に排出する排泥ピット１７が設置されている。
【００２９】
中央支柱３０は、沈殿池１０内に設置される攪拌整流部４０と、攪拌整流部４０上（沈殿池１０上）に設置される旋回支持部６０とを具備して構成されている。攪拌整流部４０は、外筒４１と内筒４３を有し、外筒４１と内筒４３に挟まれた筒状の領域は攪拌部４５となり、内筒４３の内部は整流部４９となっている。攪拌部４５には、被処理水（原水）を導入する導入管５３が接続され、また攪拌部４５内には導入管５３から導入された被処理水を円周方向に向かって攪拌していく図示しない攪拌板が設置されている。また攪拌部４５の上部には天板４７が取り付けられている。天板４７の所定箇所には、薬液供給管５１が接続されている。一方、内筒４３の複数位置には、図示しない開口が設けられ、この開口を通して攪拌部４５から整流部４９に被処理水が流入する。整流部４９内には図示しない整流板が設置され、整流部４９内に流入した被処理水を整流してその下方から上方に向かわせ、天板４７上を外方に流出させる。
【００３０】
旋回支持部６０は、攪拌整流部４０の上部に、回転軸受７３を介してその全体（下記する第１部材６３を除く）が回動自在となるように設置されており、その内部にはスリップリング６１が設置されている。スリップリング６１は、相対的に静止側と回転側になる第１部材６３と第２部材６５間で、電力と電気信号（データ等）を伝達する回転コネクタであり、この場合は、第１部材６３を静止側部材として攪拌整流部４０側に固定し、第２部材６５を回転側部材として旋回支持部６０側に固定している。そして第１部材６３側の電極６３ａには配線６７が接続され、配線６７は中央支柱３０から沈殿池１０内または沈殿池１０の下部に埋設され、外部に引き出されている。一方、第２部材６５側の電極６５ａには配線６９が接続され、配線６９は旋回支持部６０から沈殿物掻寄除去部１００に設置した下記するポンプ１５０や駆動装置１３０や図示しない制御盤等に接続されている。
【００３１】
沈殿物掻寄除去部１００は、前記旋回支持部６０と一体に回転するように取り付けられる旋回アーム１１０と、旋回アーム１１０に複数本の支柱１２１によって釣り下げられて沈殿池１０の底近傍に設置されるブレード（掻寄部）１２０と、旋回アーム１１０の先端近傍に取り付けられてこの旋回アーム１１０及び旋回支持部６０を回転駆動する駆動装置１３０と、前記旋回アーム１１０に取り付けられる沈殿物排出管（以下「汚泥排出管」という）１４０と、汚泥排出管１４０に取り付けられる複数のポンプ１５０とを具備して構成されている。
【００３２】
駆動装置１３０は、モータ１３１と、モータ１３１によって回転駆動されるタイヤ１３３とを具備しており、タイヤ１３３が沈殿池１０の側壁１３上面を回転走行することで、沈殿物掻寄除去部１００と旋回支持部６０とが一体に回転する。
【００３３】
汚泥排出管１４０は、一端側が複数本（図では３本）に分岐して前記ブレード１２０近傍に開口し、他端側が１本に集合されて旋回アーム１１０の先端側から側壁１３の外側に設置されている排泥樋１５に開口している。ポンプ１５０は、汚泥排出管１４０の分岐している各部分に取り付けられており、ブレード１２０近傍の開口から汚泥を吸い上げて、前記排泥樋１５側の開口から排出する。
【００３４】
以上のように構成されている沈殿物掻寄機５００において、被処理水が導入管５３から攪拌部４５内に導入されると、攪拌部４５内で図示しない攪拌板によって攪拌されると共に、薬液供給管５１から薬液（凝集剤）が供給され、その後、内側の整流部４９内に導入される。整流部４９内に導入された被処理水は、上方に向かいながら整流された後、攪拌部４５の上部を越えて沈殿池１０内に導入される。その間、前記薬剤によって固形分の凝集が進行する。
【００３５】
沈殿池１０内に導入された被処理水中の凝集された沈殿物は、沈殿池１０の底に沈殿していく。固形分が取り除かれた被処理水（上澄み水）は、図示しない所定の位置で前記側壁１３を乗り越えて次の工程に移送される。一方、沈殿池１０の底に堆積した沈殿物は、駆動装置１３０を駆動することで旋回アーム１１０と共に回転するブレード１２０によって、分岐した各汚泥排出管１４０の先端（下端）近傍に集められる（ブレード１２０は各汚泥排出管１４０の先端近傍に沈殿物を集めるような形状に形成されている）。
【００３６】
各汚泥排出管１４０の先端近傍に集められた沈殿物は、各ポンプ１５０を駆動することで汚泥排出管１４０に吸い込まれ、排泥樋１５に排出される。排泥樋１５に排出された汚泥は自然流下によって排泥ピット１７に集められ、次の工程に移送される。
【００３７】
次にこの沈殿物掻寄機５００を改修する方法を説明する。改修方法には主として以下の３種類があるので、それぞれについて説明する。なお、以下の説明において、前記沈殿物掻寄機５００と同一又は相当部分には同一符号を付す。なお以下で説明する事項以外の事項については、前記沈殿物掻寄機５００と同様である。
【００３８】
〔配線と汚泥排出管の改修〕
上記沈殿物掻寄機５００の配線６７，６９と汚泥排出管１４０とが老朽化してこれらの改修が必要になった場合、以下のようにしてこれらを改修し、図２に示す沈殿物掻寄機１−１とする。即ち、図２に示すように、中央支柱３０上部の旋回支持部６０を改修すると共に、沈殿池１０の上部に新たに架空架台１６０を架け渡す。架空架台１６０は、この例ではＬ字型であり、その一端を、前記改修した中央支柱３０の上部に回転軸受７５を介在して取り付け、他端を、沈殿池１０の外側の地面に固定する。
【００３９】
また旋回支持部６０に設置するスリップリング６１は、新規なものに取り換える。即ち、スリップリング６１は、相対的に回転側と静止側になる新規な第１部材６３と第２部材６５で構成する。このスリップリング６１は、第１部材６３を回転側部材として旋回支持部６０側に固定し、第２部材６５を静止側部材として架空架台１６０側に固定する。第１部材６３の中央には上下に貫通する貫通孔６４が設けられている。そして第１部材６３側の電極６３ａには新規な配線６９を接続し、この配線６９を旋回支持部６０から沈殿物掻寄除去部１００に設置したポンプ１５０や駆動装置１３０や図示しない制御盤等に接続する。一方、第２部材６５側の電極６５ａには新規な配線６７を接続し、この配線６７を架空架台１６０を通して沈殿池１０の外部に引き出す。
【００４０】
一方、汚泥排出管１４０も新規なものに付け替える。即ちまず、図１に示す古い汚泥排出管１４０を取り外し、その代りに新規な汚泥排出管１４０を取り付ける。新規な汚泥排出管１４０は、一端側を複数本に分岐して前記ブレード１２０近傍に開口させ、他端側を旋回アーム１１０の部分で１本に集合して旋回アーム１１０から旋回支持部６０内に導入し、上記スリップリング６１の貫通孔６４を貫通させて架空架台１６０に至らせ、この架空架台１６０に沿って沈殿池１０の外部に引き出し、その先端を排泥ピット１７に直接接続する。なお、汚泥排出管１４０の上記スリップリング６１の下部の部分は、回転継手（スイベルジョイント）７１によってその上下の配管を回転自在に接続している。また汚泥排出管１４０の排泥ピット１７に近い部分（立ち下がり部分）には、サイフォンブレーク部１４１が取り付けられ、サイフォン作用によって被処理水が自動的に沈殿池１０内から排水されていくことを防止している。これによって、新規な沈殿物掻寄機１−１への改修が完了する。なお上記改修手順はその一例であり、他の各種異なる改修手順を用いて新規な沈殿物掻寄機１−１に改修しても良いことはいうまでもない（以下の各例においても同様）。
【００４１】
以上のようにして改修された沈殿物掻寄機１−１において、沈殿池１０における被処理水の流れは上記沈殿物掻寄機５００の場合と同一なので、その説明は省略する。一方、各ポンプ１５０の駆動によって汚泥排出管１４０に吸い込まれた汚泥は、前記回転継手７１とスリップリング６１の貫通孔６４内を通って架空架台１６０上を移送され、直接排泥ピット１７に集められ、次の工程に移送される。
【００４２】
この実施形態によれば、沈殿池１０の上部に設置した架空架台１６０に、配線６７を架け渡す構成なので、老朽化した配線６７の改修を容易に行うことができる。即ち、改修前の老朽化した配線６７を補修等することなく、別途、新たな配線６７を架空架台１６０を用いて容易に架設することができ、その改修を容易に行うことができる。特に、改修前の配線６７が図１に示すように埋設されている構造であったような場合は、埋設された配線６７は不要となってこれを補修する必要がなくなり、今後のメンテナンス性の向上や、安定した運転に寄与できる。
【００４３】
また汚泥排出管１４０を、架空架台１６０を通して直接沈殿池１０の系外に引き出せるので、沈殿池１０の外周を囲むように排泥樋１５を設置又は既にある排泥樋１５を使用する必要がなくなる。このため、排泥樋１５から発生する臭気の周囲への拡散を確実に防止することができる。
【００４４】
特に上記実施形態では、スリップリング６１を用いることで、静止側の架空架台１６０から、回転側の沈殿物掻寄除去部１００に容易に電力や信号を供給できるようにしているが、さらに汚泥排出管１４０を回転継手７１によって連結すると共に、スリップリング６１を貫通させたので、回転側の沈殿物掻寄除去部１００から、静止側の架空架台１６０に容易に汚泥を移送することができる。
【００４５】
なおこの実施形態では、改修前の沈殿物掻寄機５００を改修して沈殿物掻寄機１−１を構成することについて説明したが、沈殿物掻寄機５００の改修ではなく、沈殿物掻寄機１−１は全く新たに新設しても良い。新設した沈殿物掻寄機１−１の場合、改修した沈殿物掻寄機１−１でも同様であるが、これが老朽化して配線６７や汚泥排出管１４０を取り換える場合、その改修作業を全て地上において行うことができるので、その改修を容易に行うことができる。このことは、以下の各実施形態においても同様である。
【００４６】
またこの実施形態では、架空架台１６０に配線６９と汚泥排出管１４０とを通したが、配線６９のみを改修するような場合には、配線６９のみを架空架台１６０に通しても良い。同様に、汚泥排出管１４０のみを改修するような場合には、汚泥排出管１４０のみを架空架台１６０に通しても良い。
【００４７】
〔汚泥排出管と薬液供給管の改修〕
次に、上記図１に示す沈殿物掻寄機５００の薬液供給管５１と汚泥排出管１４０とが老朽化してこれらの改修が必要になった場合、以下のようにしてこれらを改修し、図３に示す沈殿物掻寄機１−２とする。即ち、図３に示すように、旋回支持部６０を改修すると共に、沈殿池１０の上部に新たに図２で示したものと同様の架空架台１６０を架け渡す。
【００４８】
また旋回支持部６０に設置するスリップリング６１は、新規なものに取り換える。即ち、スリップリング６１は、相対的に静止側と回転側になる新規な第１部材６３と第２部材６５で構成する。このスリップリング６１は、第１部材６３を静止側部材として攪拌整流部４０側に固定し、第２部材６５を回転側部材として旋回支持部６０側に固定する。第１部材６３の中央には上下に貫通する貫通孔６４が設けられている。そして第１部材６３側の電極６３ａには改修前（又は新規）の配線６７を接続する。一方、第２部材６５側の電極６５ａには改修前（又は新規）の配線６９を接続する。
【００４９】
汚泥排出管１４０は新規なものに付け替える。即ちまず、図１に示す古い汚泥排出管１４０を取り外し、その代りに新規な汚泥排出管１４０を取り付ける。新規な汚泥排出管１４０は、一端側を複数本に分岐して前記ブレード１２０近傍に開口させ、その他端側を１本に集合して旋回支持部６０内に導入してから架空架台１６０に至らせ、この架空架台１６０に沿わせて沈殿池１０の外部に引き出し、その先端を排泥ピット１７に挿入する。なお、汚泥排出管１４０は上記スリップリング６１の上部において、回転継手（スイベルジョイント）７１によってその上下の配管を回転自在に接続している。また汚泥排出管１４０の排泥ピット１７に近い部分には、サイフォンブレーク部１４１が取り付けられている。
【００５０】
一方、薬液供給管５１も新規なものに付け替える。即ちまず、図１に示す古い薬液供給管５１を取り外し、その代りに新規な薬液供給管５１を取り付ける。新規な薬液供給管５１の一端は、攪拌部４５の天板４７に接続し、その他端側を上記スリップリング６１の貫通孔６４に貫通させてその上部に回転継手（スイベルジョイント）５５を介して薬液受け部５７を取り付け、さらにその上方部分を架空架台１６０に至らせ、この架空架台１６０に沿わせて沈殿池１０の外部に引き出し、その先端を図示しない薬液供給源に接続する。なお、薬液受け部５７は漏斗形状であり、上部が大径の開口５７１となっており、この開口５７１内に架空架台１６０側から延びる薬液供給管５１の先端５１１を設置している。薬液受け部５７の開口５７１内には、前記汚泥排出管１４０が導入され、その中央に前記回転継手７１が設置される。薬液供給管５１の先端５１１は、回転継手７１を避けるように屈曲して開口５７１に対向している。つまり、旋回アーム１１０側に取り付けた汚泥排出管１４０と薬液受け部５７は、それぞれに回転継手７１，５５を設けることで両者が一体に回転するように構成され、且つこれらが一体に回転しても薬液供給管５１の先端５１１から供給される薬液が確実に薬液受け部５７に導入されてその下流側に供給できる構造となっている。これによって、新規な沈殿物掻寄機１−２への改修が完了する。なお、上記古い薬液供給管５１の取り外しは、少なくとも天板４７に接続した部分（及びその近傍部分）のみについて行えばよく、その他の部分はそのまま残しておいても良い。
【００５１】
以上のようにして改修された沈殿物掻寄機１−２において、沈殿池１０における被処理水の流れは上記沈殿物掻寄機５００の場合と同一なので、その説明は省略する。一方、各ポンプ１５０の駆動によって汚泥排出管１４０に吸い込まれた汚泥は、回転継手７１を通って架空架台１６０上を移送され、直接排泥ピット１７に集められ、次の工程に移送される。一方、薬液は、架空架台１６０側の薬液供給管５１から薬液受け部５７、回転継手５５、スリップリング６１の貫通孔６４内を通って攪拌部４５に供給される。
【００５２】
この実施形態によれば、沈殿池１０の上部に設置した架空架台１６０に薬液供給管５１を架け渡す構成なので、老朽化した薬液供給管５１の改修を容易に行うことができる。特に、改修前の薬液供給管５１が埋設されている構造であったような場合は、埋設された薬液供給管５１は不要となってこれを補修する必要がなくなり、本発明にかかる沈殿物掻寄機１−２の構造に改修することによる効果は大きい。またこの実施形態では、中央支柱３０部分に薬液との攪拌整流部４０を設けているので、架空架台１６０に架け渡した薬液供給管５１から攪拌整流部４０への連結が容易且つ簡素な構造で行え、好適である。
【００５３】
また汚泥排出管１４０を、架空架台１６０を通して直接沈殿池１０の系外に引き出せるので、沈殿池１０の外周を囲むように排泥樋１５を設置又は既にある排泥樋１５を使用する必要がなくなる。このため、排泥樋１５から発生する臭気の周囲への拡散を確実に防止することができる。
【００５４】
また、汚泥排出管１４０は、旋回支持部６０内において、回転継手７１によって架空架台１６０側と沈殿物掻寄除去部１００側とが連結され、一方、薬液供給管５１は、旋回支持部６０内において、汚泥排出管１４０の回転に伴って回転し且つ静止側の架空架台１６０側から供給される薬液を受ける薬液受け部５７を有すると共に、この薬液受け部５７の下流側に回転継手５５を連結することで、回転する薬液受け部５７から、静止する被処理水側（沈殿池１０側）に薬液を移送する構成としたので、回転側の沈殿物掻寄除去部１００から静止側の架空架台１６０に容易に汚泥を移送することができると同時に、静止側の架空架台１６０から回転する旋回支持部６０を通して静止する被処理水側に容易に薬液を移送することができる。さらに汚泥排出管１４０の回転に伴って回転し且つ架空架台１６０側から供給される薬液を受ける薬液受け部５７を設けたので、汚泥排出管１４０と薬液供給管５１それぞれの静止側と回転側の連結部分をコンパクトに一体化できる。
【００５５】
またこの実施形態では、架空架台１６０に汚泥排出管１４０と薬液供給管５１とを通したが、汚泥排出管１４０のみを改修するような場合には、汚泥排出管１４０のみを架空架台１６０に通しても良い。同様に、薬液供給管５１のみを改修するような場合には、薬液供給管５１のみを架空架台１６０に通しても良い。
【００５６】
〔配線と薬液供給管の改修〕
次に、上記図１に示す沈殿物掻寄機５００の配線６７，６９と薬液供給管５１とが老朽化してこれらの改修が必要になった場合、以下のようにしてこれらを改修し、図４に示す沈殿物掻寄機１−３とする。即ち、図４に示すように、旋回支持部６０を改修すると共に、沈殿池１０の上部に新たに図２で示したものと同様の架空架台１６０を架け渡す。
【００５７】
また旋回支持部６０に設置するスリップリング６１は、新規なものに取り換える。即ち、スリップリング６１は、相対的に回転側と静止側になる新規な第１部材６３と第２部材６５で構成する。このスリップリング６１は、第１部材６３を回転側部材として旋回支持部６０側に固定し、第２部材６５を静止側部材として架空架台１６０側に固定する。そして第１部材６３側の電極６３ａには新規な配線６９を接続し、この配線６９を旋回支持部６０から沈殿物掻寄除去部１００に設置したポンプ１５０や駆動装置１３０や図示しない制御盤等に接続する。一方、第２部材６５側の電極６５ａには新規な配線６７を接続し、この配線６７を架空架台１６０を通して沈殿池１０の外部に引き出す。
【００５８】
一方、薬液供給管５１も新規なものに付け替える。即ちまず、図１に示す古い薬液供給管５１を取り外し、その代りに新規な薬液供給管５１を取り付ける。新規な薬液供給管５１の一端は、攪拌部４５の天板４７に接続し、その他端側を上記スリップリング６１の貫通孔６４に貫通させてその上方部分を架空架台１６０に至らせ、この架空架台１６０に沿わせて沈殿池１０の外部に引き出し、その先端を図示しない薬液供給源に接続する。これによって、新規な沈殿物掻寄機１−３への改修が完了する。なお、上記古い薬液供給管５１の取り外しは、少なくとも天板４７に接続した部分（及びその近傍部分）のみについて行えばよく、その他の部分はそのまま残しておいても良い。
【００５９】
以上のようにして改修された沈殿物掻寄機１−３において、沈殿池１０における被処理水の流れは上記沈殿物掻寄機５００の場合と同一なので、その説明は省略する。また各ポンプ１５０の駆動によって汚泥排出管１４０に吸い込まれた汚泥の流れも上記沈殿物掻寄機５００の場合と同一なので、その説明は省略する。一方、薬液は、架空架台１６０側の薬液供給管５１からスリップリング６１の貫通孔６４内を通って攪拌部４５に供給される。
【００６０】
この実施形態によれば、沈殿池１０の上部に設置した架空架台１６０に、配線６７と薬液供給管５１とを架け渡す構成なので、老朽化した配線６７や薬液供給管５１の改修を容易に行うことができる。特に、改修前の配線６７や薬液供給管５１が埋設されている構造であったような場合は、これら埋設された配線６７や薬液供給管５１は不要となってこれを補修する必要がなくなり、この場合は特に本実施形態にかかる沈殿物掻寄機１−３の構造に改修することによる効果は大きい。
【００６１】
また、配線６７は、スリップリング６１を介して、静止側の架空架台１６０側と、回転側の沈殿物掻寄除去部１００側とが連結されているので、架空架台１６０側から沈殿物掻寄除去部１００側に容易に電源を供給することができ、同時に、薬液供給管５１をスリップリング６１に貫通させたので、装置を一体化できる。
【００６２】
またこの実施形態では、架空架台１６０に配線６７と薬液供給管５１とを通したが、配線６７のみを改修するような場合には、配線６７のみを架空架台１６０に通しても良い。同様に、薬液供給管５１のみを改修するような場合には、薬液供給管５１のみを架空架台１６０に通しても良い。
【００６３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造であっても、本願発明の作用・効果を奏する以上、本願発明の技術的思想の範囲内である。例えば、中央支柱（旋回支持部や攪拌整流部）の構造は種々の変更が可能であり、また沈殿池によっては、攪拌整流部を設置しなくても良い。また被処理液に薬液を投入しないような場合は、薬液供給管を不要としても良い。また駆動装置やポンプ等の各種装置の設置位置を変更しても良い。また排泥樋のない沈殿池に本発明を適用しても良い。また架空架台に架け渡す配線は、電力用の配線のみ、または各種信号用の配線のみであっても良い。なお各種信号用の配線には、例えば、沈殿池内の被処理水に浸漬したＰＨ検出器等の各種センサから引き出した配線等も含まれる。また上記各実施形態では、沈殿物を汚泥としたが、沈殿物は、各種工業において沈降分離した製品などであっても良い。
【符号の説明】
【００６４】
１−１  沈殿物掻寄機
１０  沈殿池
１５  排泥樋
１７  排泥ピット
３０  中央支柱
４０  攪拌整流部
４５  攪拌部
４９  整流部
５１  薬液供給管
５３  導入管
５５  回転継手
５７  薬液受け部
６０  旋回支持部
６１  スリップリング
６４  貫通孔
６７，６９  配線
７１  回転継手
１００  沈殿物掻寄除去部
１１０  旋回アーム
１２０  ブレード（掻寄部）
１３０  駆動装置
１４０  汚泥排出管（沈殿物排出管）
１５０  ポンプ
１６０  架空架台
１−２  沈殿物掻寄機
１−３  沈殿物掻寄機
【要約】      （修正有）【課題】配線や配管が老朽化した際の改修が行え、臭気の周囲拡散を防止できる沈殿物掻寄機及びその改修方法の提供。【解決手段】旋回支持部６０と、旋回支持部６０を中心に沈殿池１０上を旋回して沈殿物を掻き寄せ、掻き寄せた沈殿物をポンプ１５０で吸い上げて外部に排出する沈殿物掻寄除去部１００と、沈殿池１０の上部に架けた架空架台１６０とを有する沈殿物掻寄機１−１。沈殿物掻寄除去部１００に電力等を供給する配線６７と、ポンプ１５０で吸い上げた沈殿物を外部に排出する汚泥排出管１４０とを、旋回支持部６０と架空架台１６０を通して、沈殿池１０の外部に引き出し、配線６７を、スリップリング６１を介して、架空架台１６０側と沈殿物掻寄除去部１００側とに連結し、汚泥排出管１４０は、スリップリング６１の中央を貫通し、且つ回転継手７１で架空架台１６０側と沈殿物掻寄除去部１００側とを連結する改修方法。【選択図】図２【図１】
0005844932.tif 000002
【図２】
0005844932.tif 000003
【図３】
0005844932.tif 000004
【図４】
0005844932.tif 000005